(57)【特許請求の範囲】
【請求項１】
袖付きの衣類を収容するための衣類キャリアであって、
衣類サポートと、
使用時に前記衣類サポートに取り付けられて前記衣類サポートの上に配置され、前記衣類サポートと袖サポートとの間に前記衣類を保持する袖サポートと、
を含み、
前記袖サポートは、前記袖の部分が前記衣類の各肩部から二股方向に延在するように、互いに所定の角度を有し前記袖と直交して延在するエッジを有し、
前記袖の外側部分は、前記各肩部と前記衣類の首回り領域との間で前記衣類の折り目を維持するように、前記袖サポートのエッジの上で折りたたまれて前記肩部に向かって延在する、
衣類キャリア。
【請求項２】
前記袖サポートは、中心リムと、前記エッジを画定する一対の二股アームとを備える、
請求項１に記載の衣類キャリア。
【請求項３】
前記袖サポートは、前記衣類サポートに蝶着されている、
請求項１または２に記載の衣類キャリア。
【請求項４】
前記袖サポートの上に配置可能であり、使用時に前記袖サポートとズボンサポートとの間でズボンを保持するズボンサポートを含む、
請求項１〜３のいずれか一項に記載の衣類キャリア。
【請求項５】
前記ズボンサポートは、前記ズボンを前記ズボンサポートの上に折り返すことができるように、使用時に前記袖サポートと係合し、前記ズボンサポートと前記袖サポートとの間で前記ズボンの一部分を前記衣類の前記袖に当てて保持するために配置されている、
請求項４に記載の衣類キャリア。
【請求項６】
前記袖サポートは、使用時に前記衣類サポートに取り付けられ、略矩形の中心部分を有する、
請求項１に記載の衣類キャリア。
【請求項７】
前記衣類サポートは、折りたたんだ前記衣類が実質的に封入されるように折りたたみ可能な１つ以上のフラップを含む、
請求項１〜６のいずれか一項に記載の衣類キャリア。
【請求項８】
１つ以上の前記フラップは、前記衣類サポートの向かい合う両辺から延在しかつ使用時に前記衣類の上に折りたたむことができかつ互いに係合する少なくとも２つの第１フラップを含む、
請求項７に記載の衣類キャリア。
【請求項９】
前記第１フラップの一方は、使用時に前記衣類の前記首回り領域および前記肩部の上に折りたたむことができる、
請求項８に記載の衣類キャリア。
【請求項１０】
前記衣類サポートのさらなる両辺から延在する一対のさらなるフラップを含む、
請求項８または９に記載の衣類キャリア。
【請求項１１】
衣類の肩部に適合するように形成された表面を備える肩部サポートをさらに含む、
請求項１〜１０のいずれか一項に記載の衣類キャリア。
【請求項１２】
前記肩部サポートは、凸状面または丸く膨れた上面を含む、
請求項１１に記載の衣類キャリア。
【請求項１３】
前記肩部サポートは、平坦な基部を含む、
請求項１１または１２に記載の衣類キャリア。
【請求項１４】
前記肩部サポートは、ストラップによって前記衣類サポートに接続されている、
請求項１１〜１３のいずれか一項に記載の衣類キャリア。
【請求項１５】
前記肩部サポートは、前記袖サポートを係合するためのループまたはタブを含む、
請求項１１〜１４のいずれか一項に記載の衣類キャリア。
【請求項１６】
前記肩部サポートは、前記衣類の肩部に配置可能であり、前記衣類キャリアの使用時に前記肩部の形状を維持する、
請求項１１〜１５のいずれか一項に記載の衣類キャリア。
【請求項１７】
前記肩部サポートは、前記衣類の前記袖を通して前記衣類の前記肩部内に挿入可能である、
請求項１６に記載の衣類キャリア。
【請求項１８】
前記肩部サポートは、前記衣類の前記首回り領域を介して前記衣類の前記肩部内に挿入可能である、
請求項１６に記載の衣類キャリア。
【請求項１９】
前記肩部サポートは、使用時に前記衣類の外面上に配置可能であり、
前記衣類の折りたたみは、前記肩部サポートの周囲で形成される、
請求項１６に記載の衣類キャリア。
【請求項２０】
前記衣類の各肩部のための肩部サポートを含む、
請求項１１〜１９のいずれか一項に記載の衣類キャリア。
【請求項２１】
衣類サポート（１４）に衣類（１０）を配置し、
前記衣類（１０）の袖（１２）の部分が前記衣類（１０）の各肩部（１８）から二股方向に延在するように、互いに分岐し前記袖（１２）と直交して延在するエッジ（１１０）を有する袖サポート（１６）を、前記衣類サポート（１４）の上に配置し、
前記各肩部（１８）と前記衣類（１０）の首回り領域（２０）との間で前記衣類（１０）の折り目を維持しつつ、前記袖（１２）の外側部分が前記各肩部（１８）に向かって延在するように、前記袖サポート（１６）のエッジ（１１０）の上で前記袖（１２）の外側部分を折りたたむ、
衣類キャリア（２００）の使用方法。
【請求項２２】
前記衣類（１０）は、ズボン（７６）を備え、
前記袖サポート（１６）とズボンサポート（６８）との間に前記ズボン（７６）を保持するために、前記袖サポート（１６）上に前記ズボンサポート（６８）を配置する、
請求項２１に記載の衣類キャリア（２００）の使用方法。
【請求項２３】
前記衣類（１０）を封入するために、前記衣類（１０）の上に前記衣類サポート（１４）のフラップ（５２，５４）を折りたたむ、
請求項２１または２２に記載の衣類キャリア（２００）の使用方法。
【発明の詳細な説明】
【技術分野】
【０００１】
本発明は、衣類を収容するための衣類キャリアおよびその使用方法に関し、特に袖付きの衣類を収容するための衣類キャリアおよびその使用方法に関する。
【背景技術】
【０００２】
多くの衣類は、旅行中、折りたたんであると（例えば、折りたたんでスーツケースの中にしまってあると）しわになる。衣類バッグは、スーツケース内に衣類を収容するために存在するが、概してかさばり、スーツケース内の多くの空間を占め、衣類のしわを十分に防止していない。
【発明の概要】
【発明が解決しようとする課題】
【０００３】
衣類のしわを大幅に防ぐ衣類キャリアを提供することが望ましいと思われる。
【課題を解決するための手段】
【０００４】
本発明は、袖付きの衣類を収容するための衣類キャリアであって、
衣類サポートと、
使用時に衣類サポートの上に配置可能な袖サポートであって、衣類を衣類サポートと袖サポートとの間に保持し、衣類の両肩部と衣類の首回り領域との間に衣類の折りたたみを維持し、その結果、袖の部分が各肩部から二股方向に延在する、袖サポートと、を含む、衣類キャリアを提供する。
【０００５】
ある実施形態では、袖サポートは、袖の外側部分を袖サポートの上に折り返すことができる箇所であるエッジを備える。袖サポートの各エッジは、使用時に各袖と略直交して延在するように互いに離反する二股であり、その結果、エッジを軸にして袖を折りたたんで肩部に向かって延在させることができる。その際、実際の袖は、袖サポートのエッジを中心に袖自体の上に折り返される。
【０００６】
ある実施形態では、袖サポートは、中心リムとエッジを画定する一対の二股アームとを備える。
【０００７】
ある実施形態では、袖サポートは、衣類サポートに蝶着される。これにより、例えば、衣類サポートに衣類を置くことができる開いた状態から衣類を袖サポートと衣類サポートとの間に保持する閉じた状態まで袖サポートを回動させることができる。
【０００８】
ある実施形態では、本衣類キャリアは、袖サポートの上に配置可能なズボンサポートであって、使用時に袖サポートとズボンサポートとの間にズボンを保持するズボンサポートをさらに含む。ズボンサポートは、衣類の裾部分をズボンの上に折り返して、折りたたんだ衣類内にズボンを保有することができるように配置可能であり得る。
【０００９】
本発明はまた、袖付きの衣類を収容するための衣類キャリアであって、
衣類サポートと、
衣類サポートの上に配置可能な袖サポートであって、衣類を衣類サポートと袖サポートとの間に保持し、中心リムと、使用時に衣類の袖が折りたたまれる箇所である一対のアームを含む袖サポートと、を含む、衣類キャリアを含む。
【００１０】
本発明のある実施形態では、衣類の首回り領域と肩部との間に衣類の袖の折りたたみを調節し、衣類の肩部を通る折り目が付かないようにする。
【００１１】
本発明の好ましい実施形態を、添付の図面を参照して非限定的な例示のみによって以下に記載する。
【図面の簡単な説明】
【００１２】
【図１】開いた状態の本発明の衣類キャリアを示す図である。
【図２】衣類および開閉フラップの存在しない衣類キャリアの展開図である。
【図３−１６】図１の衣類キャリアの使用方法における段階的な工程を示す図である。
【図１７】衣類キャリアの代替的な実施形態の展開図である。
【図１８】図１８Ａ〜１８Ｆは、閉じた状態の図１７の衣類キャリアのさまざまな視点からの図である。
【図１９】図１９Ａ〜１９Ｆは、開いた状態の図１７の衣類キャリアのさまざまな視点からの図である。
【発明を実施するための形態】
【００１３】
本明細書に記載の衣類キャリアは、旅行時および保管中に衣類に形成されるしわおよび折れ目を減少させるかまたは回避することを意図している。ある実施形態では、衣類キャリアは、耐熱外側布地スリーブ（衣類キャリアに衣類を封入するフラップが含まれ得る）を含み得る。ある実施形態では、衣類キャリアは、剛性床（「衣類サポート」または衣類サポートの「基部」もしくは「平面シート」ともいう）を含み得る。ある実施形態では、衣類キャリアは、保護アクリル蓋または「ズボンサポート」を含み得る。このズボンサポートは、ポリカーボネートの「透明窓部」を含み得る。ある実施形態では、衣類キャリアは、蝶着されたＴ形のバーまたは「袖サポート」を含む。ある実施形態では、関連する面のすべてが、折れ目およびしわを形成する状況を排除するように作製されている（衣類キャリアの使用時に衣類と接し得るすべての角に丸み与えることが含まれる）。
【００１４】
袖１２付の衣類１０を収容するための衣類キャリア１００の実施形態を本明細書に記載する。衣類キャリア１００は、衣類サポート１４と衣類サポート１４の上に配置可能な袖サポート１６とを含む。使用時、袖サポート１６は、衣類サポート１４と袖サポート１６との間で衣類１０を保持する。
【００１５】
袖サポート１６は、衣類１０の各肩部１８と衣類１０の首回り領域２０との間に衣類１０の折りたたみを維持する。この構成では、袖１２の部分２２は、各肩部１８から二股方向に延在する。言い換えると、衣類１０を衣類サポート１４上に配置し、袖サポート１６を衣類サポート１４上に配置すると、袖１２は、肩部１８から互いに離反する二股方向に延在する。
【００１６】
次いで、袖サポート１６の上に袖１２を折り返すことができる。各袖１２の袖口方向に延伸している各袖１２の部分は、袖サポート１６の上に折り返されると、衣類１０の各肩部１８方向に折り返って延在する。
【００１７】
図１は、１着のスーツの上着１０および１本のズボン２６を収容するための衣類キャリア１００を示している。衣類キャリア１００は、衣類サポート１４および袖サポート１６を含む。衣類キャリア１００は、折りたたんだ衣類を封入するための部材（現形態では、フラップ２８，３０）をさらに含む。
【００１８】
衣類キャリア１００は開いた状態であり、開いた状態において、衣類キャリア１００内で衣類１０を折りたたんで収納することができる。衣類キャリア１００には閉じた状態もあり（図１４参照）、閉じた状態では、衣類１０は衣類キャリア１００内に実質的に封入される。
【００１９】
衣類サポート１４は、衣類１０を配置するための内側表面を備える略矩形かつ平面のシート１５を含む。衣類サポート１４の外側表面は、衣類キャリア１００が閉じた状態のときに、衣類キャリア１００の背面を成す。
【００２０】
衣類サポート１４は、ズボンサポート６８との係合用のクロスバーまたはクリップ３２を含む。クロスバーまたはクリップ３２は、平面シート１５の長辺に取り付けられている。クロスバーまたはクリップ３２は、平面シートの内側方向に略垂直に突出している。
【００２１】
クロスバーまたはクリップ３２は、末端部３４を含み、末端部の下にズボンサポート６８の一部を受け止めてズボンサポート６８を衣類サポート１４に保持する。ズボンサポート６８の保有を容易にするために、末端部３４は凹形である。
【００２２】
クロスバーまたはクリップ３２の凹形末端部３４は、ズボンサポート６８と袖サポート１６との固い係合を確実にする細長タブ３６を備える。凹形末端部３４は、細長タブ３６の内側方向に凹所３８に向かって先細になっている。袖サポート１６は、凹所３８内でクロスバーまたはクリップ３２に蝶着している。袖サポート１６を衣類サポート１４の他の箇所に取り付けてもよいことが理解されよう。
【００２３】
クロスバーまたはクリップ３２を含め、衣類サポート１４は、ネオプレンから形成することができるが、他の剛性または半剛性プラスチックから形成することもでき、また、通常は他の材料を適切に用い得る。
【００２４】
袖サポート１６は、中心リム４０と一対の二股アーム４２とを備える。一対のアーム４２は、バー４４の両末端を成している。バー４４は、通常、中心リム３２の上部に直交して延在する。衣類サポート１４上に衣類１０を配置可能な開いた状態と、閉じた状態（図７参照）との間で袖サポート１６が回動自在に、袖サポート１６は、ヒンジピン４６（図２参照）によって衣類サポート１４に蝶着される。
【００２５】
中心リム４０は、平坦な、幅広い一片のポリカーボネートから形成されている。バー４４がリム４０と交差する幅広箇所から、ポリカーボネート片が衣類サポート１４に蝶着される幅狭箇所に向かって、ポリカーボネート片は先細になる。
【００２６】
バー４４は、中央直線部分４８を含み、中央直線部分４８の下でズボンサポート６８が支えられる。特に、ズボンサポート６８の幅広フック７２が、中央直線部分４８の下で受け止められる。中央直線部分４８は、くぼみ部５０を含む。以下に論じるように、ズボンサポート６８を容易に袖サポート１６の下に配置するためにもくぼみ部５０を用いることができる。くぼみ部５０は、ハンドルであって、このハンドルによって袖サポート１６をつかんで回動させて開いた状態にするためのものとして機能してもよい。
【００２７】
アーム４２は、直線部分４８と一体的に形成されている。アーム４２は、直線部分４８に対して所定の角度で延伸し、その結果、袖サポート１６が閉じた状態のとき、アームは衣類１０の袖１２と略直交して延伸する。袖１２は、衣類１０の両肩部から二股に離反するため、アーム４２は、袖１２に直交して横たわるように、わずかに後方に（すなわち、クロスバー３２の方向に）傾斜する。したがって、アーム４２は、現形態では鈍角が用いられているが、適切などのような角度で延伸してもよい。アーム４２はまた、アーム４２の中央直線部分４８に対する角度が調節可能であるように、中央直線部分４８に蝶着され得る。
【００２８】
アーム４２は、袖サポート１６を回動させて閉じた状態にするときにアーム４２をつかむことができるように、直線部分４８よりも細い。アーム４２は、衣類１０が衣類キャリア１００内で折りたたまれて収納されるときに角張ったエッジが衣類１０に向けられることがないように、緩やかな湾曲部で直線部分４８とつながっている。
【００２９】
衣類サポート１４は、二対のフラップ５２，５４を備える。衣類キャリア１００内で折りたたんで収納した衣類１０の上にフラップ５２，５４を折り重ねて、衣類１０を封入する。フラップ５２は、衣類サポート１４の向かい合う両辺（長辺）から延在している。図１に示すように、フラップ５２は、衣類サポート１４の略平面のシート１５の対辺（長辺）から延在している。フラップ５２は、略矩形である。フラップ５２は、平面シート１５の長さと略同一の長さを有する。各矩形フラップ５２の長辺は、平面シート１５の対応する長辺と同一の広がりを有する。各矩形フラップ５２の長辺を、平面シート１５の対応する長辺に取り付けられている。各フラップ５２の反対側の長辺（すなわち、平面シート１５に取り付けられていない長辺）は、丸みのある角を備える。衣類キャリア１００が図示のように開いた状態のとき、フラップ５２は、平面シート１５とともに地表上に略平坦に横たわることができるように、折りたためる。
【００３０】
フラップ５２，５４のうち、フラップ５２を最初に、衣類キャリア１００内で折りたたんで収納した衣類１０の上に折り重ねる。一方のフラップ５２を、使用時に衣類の首回り領域２０および肩部１８の上に折り重ねることができる。
【００３１】
各フラップ５２は、折り重なって互いに係合する。その目的のため、一方のフラップ５２にマジックテープ（登録商標）式留め具のフックまたはループを備えるタブ６２を設け、他方のフラップ５２の外側表面に、対応するフックまたはループのパッチを設ける。フックはループと係合してフラップ同士を係合状態で保持する。
【００３２】
フラップ５２同士を固定するために、他の手段または配置を適用し得る。例えば、タブ６２を設ける必要はない。代わりに、対応するフラップ５２の外側表面は、フックまたはループの同様のパッチを含むことができる。しかしながら、タブ６２を用いれば、フラップ５２の長辺の区域に、タブ６２のいずれかの面から延在するであろう余材を使用せずに済ませることができる。
【００３３】
マジックテープ式の代わりに任意の適切な係合方式を用いてもよいし、または、最終的にはフラップ５４を折りたたんだフラップ５２上に重ねてフラップ５２に接続するため、係合方式がまったくなくてもよいことが理解されよう。
【００３４】
衣類キャリア１００は、１つ以上の保護翼またはタブ５６をさらに含む。各フラップ５２が平面シート１５に接する箇所である各フラップ５２の角に、翼またはタブ５６を配置する。各翼またはタブ５６は、フラップ５２の短辺から外側に延在する丸みのある凸部である。各翼またはタブ５６は、対応する、残りの、通常は矩形のフラップ５２と同一平面にある。
【００３５】
衣類１０が衣類キャリア１００内で折りたたまれており、フラップ５２を衣類１０上に重ねるとき、翼またはタブ５６は、折りたたんだ衣類１０の角部分が衣類キャリア１００からはみ出してトランジット中に露出されたままになることが確実にないようにする。
【００３６】
各フラップ５２の外側表面上に一方の側のジッパーの務歯６０（図１がフラップ５２の外側表面ではなく内側表面を示しているため、破線で示しており、外側表面の詳細は、下記に説明する）が設けられる。ジッパーの務歯６０は、各フラップ５２に縫付けて取り付けてあり、図示のとおり、縫い目がフラップ５２の内側表面上に見える。
【００３７】
フラップ５４は、略三角形であり、衣類サポート１４の向かい合う両辺（短辺）から延在している。図１に示すように、フラップ５４は、衣類サポート１４の略平面のシート１５の向かい合う両辺（短辺）から延在している。各フラップ５４の外側頂点は、丸みがある。
【００３８】
ジッパーの務歯６６の列は、フラップ５４がシート１５とぶつかる箇所であるフラップ５４の角から、各フラップ５４の縁が外側頂点の周りで丸みを帯び始める箇所まで延在する。務歯６６の列は、各フラップ５４の縁に取り付けてあるが、代替的に務歯６６の列は、フラップ５４の縁に近いフラップ５４の内側表面に取り付けてもよい。
【００３９】
務歯６６の列は、衣類キャリア１００が閉じた状態のときに、対応するフラップ５２上の務歯６０の列と係合してフラップ５２，５４を一緒に保持する（図１４参照）。
【００４０】
務歯６０，６６の列は、通常、略平面のシート１５から垂直に外側方向に延在する。この場合、務歯６０，６６の列は内側方向に湾曲し、衣類１０を包むとき、図１３および図１４に示すように折りたたんだ衣類１０の中心に向かって延在する。ジッパーのプルタブを動かす場合、ジッパーのプルタブは、折りたたんだ衣類１０の角部の縁を上って進む。次いで、プルタブは、ジッパーの務歯６０，６６の列に湾曲があるために内側方向に進みフラップ５２，５４を結び付け、略三角形のフラップ５４の各外側頂点近傍の箇所に至る。
【００４１】
ジッパーのプルタブは、いずれか一方のフラップ５２，５４上に配置されてもよく、一方のフラップ５２，５４上の務歯６０，６６を標準的なジッパーのリテーナボックス内で他方のフラップ５２，５４上のジッパーの務歯６０，６６と接続可能にする。あるいは、ジッパーのプルタブは、両方の務歯６０，６６に接続されてもよい。この場合、対応する標準的なジッパーの下止部は、通常、衣類キャリア１００の開いた状態時に略平面のシート１５の角に配置される。
【００４２】
フラップ５２，５４をネオプレンで形成しているが、任意の他の材料も適切に用いられ得る。
【００４３】
衣類１０を封入するかまたは包むために、さまざまな形状のフラップを用い得ることが理解されよう。この目的のために、衣類キャリア１００は、折りたたんだ衣類１０を実質的に封入できるように、折り重ねることができる１つ以上のフラップを含み得る。
【００４４】
クロスバーまたはクリップ３２を除いて、衣類サポート１４は、薄く刻印してシート１５の縁に折り目線を付けた略平坦な一枚の材料（例えばネオプレン、または、布地もしくは発泡体の衣類に接触する上部を備える成形ＥＶＡ基部等の組合せもしくは多層材料）から形成することができる。任意の他の製造方法を適切に用いることができることが理解されよう。
【００４５】
衣類キャリアは、袖サポート１６上に配置可能なズボンサポート６８をさらに含み、ズボン７６を袖サポート１６とズボンサポート６８との間に保持する。ズボンサポート６８は、略平坦な上部パネル７０を含む。パネル７０は、略矩形であり、パネル７０の長辺に沿って袖サポート１６の下で受け止められることができる幅広フック７２を備えている。反対側の長辺に沿ってリップ部７４（以下に記述する）が備えられている。
【００４６】
袖サポート１６が閉じた状態になり、以下に論じるように衣類１０の袖１２が袖サポート１６を軸にして折りたたまれた後、ズボン７６が折りたたんだ袖１２の上に横たえられる。次いで、ズボンサポート６８は、以下に論じるように、袖サポート１６および／またはクロスバーもしくはクリップ３２と係合する。そうすることによって、ズボンサポート６８は、ズボン７６をズボンサポート６８の上に折り返すことができるように、ズボン７６を袖１２に当てて保持する。
【００４７】
本明細書に記載のように、ズボン７６およびズボンサポート６８を衣類１０および袖サポート１６上に配置することで、ズボンサポート６８によって、衣類１０の裾部分がズボン７６の上に折り返されて、折りたたんだ衣類１０内にズボン７６を保有することが可能になる。
【００４８】
ズボンサポート６８の略平坦な上部パネル７０は、透明窓部１０１を含む。透明窓部１０１は、美的理由のみのものであるが、取扱説明書、ブランド、保証書、および／または他の情報を含んでもよい。略平坦な上部パネル７０は、通常は矩形であるが、当業者であれば上部パネル７０に他の形状を用い得ることがわかるであろう。
【００４９】
幅広フック７２は、袖サポート１６の下に掛合し、ズボンサポート６８を袖サポート１６に保持することを補助する。幅広フック７２は、また、袖サポート１６を平面のシート１５から離間させる。この離間の効果によって、衣類１０を衣類キャリア１００内で折りたたんで収納したあと、袖サポート１６が衣類１０の身頃にしわを付けないことが確実になる。
【００５０】
ズボンサポート６８が定位置にあり、衣類キャリア１００を閉じているとき、ズボンサポート６８はシート１５、袖サポート１６、およびズボンサポート６８の相対的位置を固定する。そうすることによって、中実のキャビティが形成され、このキャビティは、その中に含まれる衣類１０の部分（例えば、袖１２、肩部１８、およびズボンの腰領域）を保護する。
【００５１】
幅広フック７２が袖サポート１６の下に掛合した後、ズボンサポート６８がフック７２を中心に回転し、リップ部７４をクロスバーまたはクリップ３２と係合させる。そうすることによって、ズボンサポート６８を、衣類サポート１４および袖サポート１６の一方と確実に係合する構成とすることができる。リップ部７４は、単にクロスバーまたはクリップ３２に載るのみでもよいが、リップ部７４の内側表面の一方の端に突起を設けるのが好ましい。この場合、突起は、クロスバーまたはクリップ３２の各凹形末端部３４に受け止められ得る。したがって、リップ部７４は、突起を備え、クロスバーまたはクリップ３２とともにズボンサポート６８を衣類サポート１４上に確実に保有するための係止部（clasp）を成す。突起は図示していないが、当業者には、リップ部７４上またはリップ部７４内にどのように突起を形成することができるか、また、突起の形状が凹形末端部３４の形状に適合する形状（例えば、凸形）であることが利点となり得ることがわかる。
【００５２】
図２は、フラップ５２，５４を除いた、図１の衣類キャリア１００の展開図を示している。フラップ５２，５４は、上述のように平面シート１５を用いて形成してもよいし、または代替的に平面シート１５の辺にクリップで留めてもよく、もしくは他の方法で接続してもよいことが理解されよう。
【００５３】
平面シート１５の一方の長辺に沿って、等間隔で離間させた一連の穴７８が設けられている。平面シート１５の各短辺に沿う一連の穴７８の一方の終端箇所に、またはその近傍に、切欠き８０が設けられている。穴７８は、クロスバーまたはクリップ３２の下面上の小突起（図示せず）を受け止め、それによりクロスバーまたはクリップ３２を平面シート１５に保持するためのものである。小突起は、接着、超音波溶接、または他の方法によって穴７８内において平面シート１５に取り付け得る。代替的に、リベットが穴７８を貫通してクロスバーまたはクリップ３２内まで延在し、クロスバーまたはクリップ３２を平面シート１５に保持し得る。任意の他の適切な接続方式を用いてもよいことが理解されよう。
【００５４】
クロスバーまたはクリップ３２の両端に、クロスバーまたはクリップ３２をシート１５上に配置するために切欠き８０において受け止めることができる突出部（図示せず）が設けられている。
【００５５】
クロスバーまたはクリップ３２は、図示のように２つの部分または２つの半体から形成される。一方の部分は、他方の部分の開口８２に受け止められる突出部８１を備え、２つの部分を一緒に保持する。
【００５６】
袖サポート１６の中心リム４０は、バー４４とは別に形成される。中心リム４０は、透明ポリカーボネート材料から形成するが、任意の他の材料も使用され得る。中心リム４０の幅狭の末端で、ポリカーボネート材料を折りたたんでトンネル８４を形成している。
【００５７】
中心リム４０のトンネル８４内にヒンジピン４６が受け止められる。ヒンジピンの両端がトンネル８４の両端から出て延在するように、ヒンジピン４６は、トンネル８４よりも若干長い。ヒンジピン４６の両端は、クロスバーまたはクリップ３２の２つの半体内の両開口８６内に受け止められる。クロスバーまたはクリップ３２の２つの半体を、上述のように結合するとき、ヒンジピン４６はクロスバーまたはクリップ３２の２つの半体の間に閉じ込められ、それにより、袖サポート１６を回動自在にクロスバーまたはクリップ３２に保持する。
【００５８】
ヒンジピン４６は、金属から形成するが、任意の他の剛性材料も用いられ得る。
【００５９】
袖サポート１６のバー４４は、長手方向の２つの半体８８から形成される。半体８８は、それぞれ、立ち上がり周縁部９０を含む。立ち上がり周縁部９０は、各半体８８のギャップ９２を除く周縁部の全体に延在する。バー４４の２つの半体８８を結合するときに、ギャップ９２が一緒に、開口を形成し、この開口内に中心リム４０の幅広の末端が延在する。中心リム４０の幅広の末端に、ギャップ９２によって形成された開口から中心リム４０が引き抜かれないようにするさまざまな突起が設けられている。
【００６０】
また、バー４４の半体８８は、２つの半体８８を一緒に保持するための協働式留め具（現形態では、スナップ留め具９４）を備える。スナップ留め具９４の一方は、バー４４の中央直線部分４８の中央に配置され、中心リム４０の中央の開口９６を介して２つの半体８８を接続する。このように、中心リム４０が２つの半体８８の間から引き出されてしまうことを防止する。
【００６１】
ズボンサポート６８は、フレーム部材９８、透明ポリカーボネート窓部１０１、および幅広フック７２の３つの部分から形成される。
【００６２】
透明ポリカーボネート窓部１０１は、略矩形かつ平面であり、フレーム部材９８にクリップで留められるか接着されるかまたは他の方法で接続される。
【００６３】
フレーム部材９８は、大中央開口部を含む。透明ポリカーボネート窓部１０１をフレーム部材９８に取り付けるときに、ズボンサポート６８を貫通する透明窓部を形成する。
【００６４】
フレーム部材９８は、シート状の材料がプレスされて、開口を囲うフレームが形成されており、この開口を通して、透明ポリカーボネート窓部が見え、また、フレーム部材９８は、丸みのある向かい合う長手エッジを備えている。一方の長手エッジは、上記リップ部７４を含み、ズボンサポート６８がクロスバーまたはクリップ３２から長手方向に滑り落ちてしまうことを防止するタブ１０２を両端に備える。タブ１０２は、透明ポリカーボネート窓部１０１と、延在するリップ部７４の長手方向とに対して略垂直に延在する。
【００６５】
フレーム部材９８の他方の長手エッジは、幅広フック７２に取り付けられるように形成され、配置される。本願では、幅広フック７２を接着剤によってフレーム部材９８に取り付けているが、任意の他の手段または接続方式を用いてもよい。
【００６６】
幅広フック７２は、幅広フック７２を補強することに役立つ補強リブ１０４を含む。ズボンサポート６８の使用時、リブ１０４は、バー４４の中央直線部分４８に支えられる。幅広フック７２の両端およびフレーム部材９８の対応する長手エッジの両端に、リップ部７４のタブ１０２と同様のタブ１０６が設けられる。
【００６７】
衣類キャリア１００のほとんどのまたはすべての部分がネオプレン、軟質もしくは硬質プラスチック、剛性もしくは半剛性プラスチック、または任意の他の適切な材料から形成され得る。したがって、材料（例えば、剛性プラスチック）が特定された場合、その材料の機能および目的が重要なのであって、本明細書に述べられている材料の特定の種類が必ずしも重要ではないこと、および、当業者には、同じ目的を実現可能な他の材料を同定可能であり得ることがわかるであろう。そのような他の材料は、本願発明の開示の範囲内のものとして意図されている。
【００６８】
この点に関して、ネオプレンを、衣類キャリア１００のある部分の望ましい材料として挙げた。材料の種類は、衣類キャリア１００の用途（例えば、店舗での保管または海外発送）および一般の環境条件に合わせて選択されるべきであることが理解されよう。例えば、ネオプレンは、衣類１０が配置される衣類キャリア１００の内部キャビティに対する温度変化および湿度の影響を減少させることができる性能によって選択されている。
【００６９】
本明細書に記載の実施形態において特定の形状を与えられた衣類キャリア１００の部分のそれぞれが、各部分の機能が維持されるという条件で、実際には、代替の形状を備え得ることが当業者に理解されるであろう。例えば、袖サポート１６は、肩部の上に受け止められるバルジ部等を備える略三角形（すなわち、Ｔ字形ではない）であり得る。この場合、バルジ部等は、折りたたんだ肩部の形状に適合し得る。
【００７０】
衣類キャリア１００の使用方法を、図３〜図１６を参照し、記載する。図３〜図１６は、衣類１０を衣類キャリア１００内で折りたたんで収納する段階、衣類キャリア１００で衣類１０を包む段階、および折りたたんだ組立体をスーツケース１０８内に配置する段階の進行する各段階を示す。
【００７１】
開いた状態の衣類キャリア１００を図３に示す。本実施形態では、平面シート１５の内側表面上に衣類（本明細書ではスーツの上着１０）を折りたたむための説明書きが印刷されている。この説明書きは、衣類キャリア１００のユーザが衣類キャリア１００内で衣類１０を折りたたんで収納する際にユーザの手引きとなる。
【００７２】
衣類キャリア１００を初めて使用するときのように、衣類キャリア１００の梱包を解いた後、ズボンサポート６８は、袖サポート１６上にある。図４に示すように、ズボンサポート６８を取り外すために、フック７２を軸にして矢印Ａ方向にズボンサポート６８を回動させることにより、最初にリップ部７４をクロスバーまたはクリップ３２から取り外す。そうすると、ズボンサポート６８のフック７２は、袖サポート１６のバー４４の下から矢印Ｂ方向に滑り出る。
【００７３】
ズボンサポート６８をいったん取り外すと、袖サポート１６を図３に示す矢印Ｃ方向に回動させて平面シート１５から離間させることができる。
【００７４】
袖サポート１６を離間させると、図５に示すように、衣類１０を平面シート１５上に配置し得る。衣類１０は、現形態ではスーツの上着であるので、矢印Ｄによって示すように最初にボタンをかけなければならない。衣類１０にボタンをかけることによって、衣類キャリア１００内で衣類１０を折りたたんで収納する前またはその間、および、衣類１０を衣類キャリア１００で包む間に衣類１０がしわにならないことを確実にする。次いで、矢印Ｅによって示すように、袖サポート１６の中心リム４０の幅狭の末端またはクロスバーもしくはクリップ３２近傍にまたはそこに隣接して首回り領域２０が配置されるように、平面シート１５上に衣類１０を伏せて横たえる。
【００７５】
次いで、平面シート１５上の説明書きが示すように、また、矢印Ｆによって示すように、衣類１０の肩部１８を内側に折りたたむ。このように、図６に示すような肩部１８と首回り領域２０との間の折りたたみを行なう。折りたたみは、典型的には、衣類１０の襟からまたは衣類１０の襟付近から、袖１２と衣類１０の横腹または側面との間の結合部（すなわち、上着１０の脇の下）まで達する。袖１２は、肩部１８から二股方向に延在する。袖１２は首回り領域２０とともに、衣類１０をデルタ字形の折りたたみ形状にする（すなわち、上着は、特徴的な「デルタ折り（Delta-fold）」を備える）。
【００７６】
本明細書に記載の、かかるデルタ折りは、スーツの上着の肩部領域がしわになる可能性を大幅に減少させる。スーツの上着の肩部領域は、トランジットの間上着をかけておかない限り（多くの場合、不可能である。例えば、飛行機内の頭上の手荷物棚、またはスーツケース内にあるときに不可能である）、従来しわになるのを避けられなかった箇所である。
【００７７】
衣類キャリア１００は、袖サポート１６を設けることによって特にデルタ折りを維持するように意図されている。上述のように、袖サポート１６は、衣類サポート１４に回動自在に接続される中心リム４０を含み、この中心リム４０近傍に、衣類１０の首回り領域２０は、衣類サポート１４上に配置される。したがって、図７に示すように、袖サポート１６を回動させることによって、中心リム４０は首回り領域２０を平面シート１５に押し付けて保持するか、押さえつけるか、または他の方法で保有する。そのために、袖サポート１６はまた、両肩部１８間の、衣類１０の背中に達する。
【００７８】
この位置で、袖サポート１６のバー４４は、衣類１０の背中を横切って、肩部１８の下方かつ袖１２の上に延在し、デルタ折りを維持するように、袖を保持する。袖サポート１６が袖１２に直交して横たわることに留意されたい。その結果、トランジットのためにサイズを小さくするために衣類１０をさらに折りたたみ、また折りたたんだ衣類１０を衣類キャリア１００で包むが、首回り領域２０、肩部１８、および袖１２によって形成されたデルタ字形は維持される。
【００７９】
いったん袖サポート１６が図７に示す位置に配置されると、袖１２の外側部分を袖サポート１６の上に折り返すことができる。これを達成するために、図８に示す矢印Ｈによって示されるように袖サポート１６のエッジ１１０（図２参照）を軸にして袖１２を折りたたむ。
【００８０】
袖サポート１６のエッジ１１０は、使用時に各袖１２と略直交して延在するように互いに離反する二股であり、その結果、これらのエッジ１１０を軸にして袖１２を折りたたんで肩部１８に向かって延在させることができる。実際に、袖１２を二つに折りたたむことができる。図８に示すように、袖１２を二つに折りたたんだ後でさえも、袖１２は、デルタ折り形状を維持する。肩部１８および首回り２０において、または肩部１８および首回り２０の周囲でデルタ折り形状を維持することによって衣類１０にしわが付く可能性を大きく減少させること、および袖１２を二つに折りたたんでデルタ字形を維持することがしわが付くことを減少させるためよりも折りたたんだ衣類１０のサイズを抑えるためのものであることが理解されよう。したがって、実際には、多くのさまざまな形状が得られる多くのさまざまな方式で袖１２を折りたたむことができる。
【００８１】
バー４４の主エッジ１１０を軸にして袖１２を折りたたんだ後、図９の矢印Ｉによって示されるように、袖１２の上にズボン７６を横たえることができる。この位置で、一般的に、ズボン７６の腰部の上縁部と、フラップ５４と接合する平面シート１５の短辺とをそろえる。したがって、ズボン７６の脚部は、衣類サポート１４を横切って延在する。
【００８２】
次いで、図１０および図１１それぞれの矢印Ｊおよび矢印Ｋによって示すように、袖サポート１６のバー４４の下にズボンサポート６８のフック７２を掛合する。バー４４の下にフック７２を掛合することによって、バー４４を平面シート１５から離間させる。バー４４を軸にして袖１２を折りたたんでいるので、衣類１０の身頃に対する袖１２による圧力は少ない。このように、フック７２は、衣類１０の身頃と袖１２との間でしわが形成される可能性を減少させる。
【００８３】
バー４４の下にズボンサポート６８のフック７２を掛合した後、矢印Ｌによって示されるようにクロスバーまたはクリップ３２の上にズボンサポート６８のリップ部７４を降ろす。上述のように、リップ部７４は、クロスバーまたはクリップ３２に単に支えられるだけでよく、フック７２が衣類１０の背中に沿ってバー４４の下から滑り出てしまうことを防止してもよい。代替として、リップ部７４は、クロスバーまたはクリップ３２と確実に係合してもよいが、確実な係合は、ほとんどの状況で不要である。以下で論じるように、フラップ５２，５４をジッパーで咬合する場合、ズボンサポート６８は、所定位置に保持されるからである。
【００８４】
ズボンサポート６８が定位置にあるとき、ズボンサポートは、ズボン７６を衣類１０に押圧し、ズボン７６および衣類１０を衣類サポート１４上の定位置に保持する。
【００８５】
次いで、図１２の矢印Ｍによって示すように、ズボン７６の脚部をズボンサポート６８の上、特にズボンサポート６８の短辺を横切って折りたたむことができる。衣類キャリア１００の幅および／またはズボンサポート６８の幅をズボン７６の特定の長さに合わせて選択することができ、その結果、ズボン７６をズボンサポート６８に沿って折りたたんだときに、ズボン７６の脚部のヘムがズボン７６の腰部箇所に位置するかまたはその近くに位置する。任意の幅の衣類キャリア１００およびズボンサポート６８を使用し得ることが理解されるところであるが、ズボン７６を衣類キャリア１００内に収めるために、一回だけ折りたためば足りるように、ズボンサポート６８の幅は、少なくともズボン７６の長さの半分程度であることが一般的に好ましい。
【００８６】
ズボン７６の脚部をズボンサポート６８の上に折りたたんだ後、図１３の矢印Ｎによって示されるように、衣類１０の裾部分１１２をズボン７６の上に折り返すことができる。このように、折りたたんだ衣類１０内に、ズボンサポート６８とともにズボン７６を保有する。
【００８７】
衣類１０を衣類キャリア１００から取り出すときに、しわになる可能性が減少するように、折りたたむ間にしわになることを回避すべきであることが理解されよう。
【００８８】
次いで、図１４に示す矢印Ｏ方向に、内側にフラップ５２を折りたたむことによって、フラップ５２同士を係合させる。次いで、一方のフラップ５２上のタブ６２を矢印Ｐ方向に押し下げ、上述のマジックテープ式留め具を係合させる。一方のフラップ５２が衣類１０の肩部１８および首回り２０の上に延在し、また、他方のフラップ５２が衣類１０の裾部分１１２の上に延在して、フラップ５２は実質的に衣類１０を封入する。場合によっては、ある種の衣類１０にはマジックテープ式留め具が絡み付きダメージを与え得るため、マジックテープ式留め具の使用を避けることが望ましいこともあり得る。そのため、任意の他の接続方式（例えば、１つ以上の磁石式留め具）を使用し得る。代替的に、以下に論じるように、フラップ５４をフラップ５２の上に折りたたみ、フラップ５２にジッパーで咬合するので、フラップ５２同士の間の接続方式を完全に不要にし得る。
【００８９】
図１４では、各フラップ５２の外側表面上に務歯６０の列を見ることができる。
【００９０】
次いで、図１５に示す矢印Ｑ方向にフラップ５４をフラップ５２の上に折りたたむ。次いで、上述のように務歯６０，６６の列を含むジッパー１１４を咬合させて閉じる。このように、フラップ５４をフラップ５２に保持し、衣類キャリア１００の折りたたみを完了する。
【００９１】
図１６に示すように、衣類キャリア１００は、折りたたんだ形状のときに、矢印Ｒによって示すようにスーツケース１０８内に端然と適合する大きさおよび形状になる。現形態では、衣類キャリア１００は、飛行機内持込荷物用に適した標準的寸法のスーツケース１０８に適合する大きさおよび形状としているが、代わりに他の（例えばより大きい）スーツケースに適合する大きさであり得る。
【００９２】
代わりとなる衣類キャリア２００を図１７〜図１９に示す。衣類キャリア２００の、衣類キャリア１００の特徴に類似した機能を備える特徴についての記載は、繰り返しておらず、代わりに、そのような類似の特徴の機能を同定する記載の前の数ページに注意を促す。
【００９３】
図１７の展開図で示す衣類キャリアもまた袖付きの衣類（図示せず）を収容するためのものである。上述の実施形態では、衣類サポート１４は、衣類サポート１４の使用時に衣類１０を封入するフラップ５２，５４を含む。図１７に示す実施形態では、衣類サポート２０２は、直立周縁側壁２０６上にジッパーで咬合されて衣類１０を封入する単一の大フラップ２０４を含む。単一の大フラップ２０４は、直立側壁２０６の両末端部に接し、その周囲で屈曲し、衣類１０を封入する。
【００９４】
直立側壁２０６は、丸みのある角２０７によって、衣類サポート２０２の基部に接合されている。丸みのある角２０７は、美的目的にかなう（すなわち、側壁２０６と衣類サポート２０２との滑らかな移行部をもたらす）。丸みのある角２０７はまた、衣類キャリア２００がトランジット中に配置されるスーツケースに対して呈していたかもしれない鋭い角の数を減少させ、その結果、スーツケースにダメージを与える可能性を減少させる。
【００９５】
側壁２０６の上縁部に沿って、ジッパーの務歯２０９の列が設けられている。下記のように、ジッパーの務歯２０９の列は、フラップ２０４のジッパーの務歯と連結される。
【００９６】
直立側壁２０６の末端部の周囲でフラップ２０４を屈曲可能なように、フラップ２０４は、少なくとも側壁２０６の周囲で屈曲する必要がある領域において可撓性材料から形成されなければならない。フラップ２０４の、側壁２０６の周囲で屈曲する必要のない部分は、相対的により剛性の高い材料から形成され得る。望ましくは、直立側壁２０６は、使用時につぶれないように剛性材料から形成されるべきである。
【００９７】
単一の大フラップ２０４は通常、実質的に、側壁２０６の一方の末端部から、矩形体の外周に沿って、側壁２０６の他方の末端部まで延在する丸みのある周縁部２０８を備える平面の矩形体である。丸みのある周縁部２０８は、美的目的にかなう（すなわち、フラップ２０４が直立側壁２０６にジッパーで咬合されるときにフラップ２０４と直立側壁２０６との間に滑らかな移行部をもたらす）。丸みのある周縁部２０８はまた、衣類キャリア２００がトランジット中に配置されるスーツケースに対して呈していたかもしれない鋭い角の数を減少させ、その結果、スーツケースにダメージを与える可能性を減少させる。
【００９８】
周縁部２０８の外縁に、上記のように直立側壁２０６のジッパーの務歯２０９の列と連結するジッパーの務歯２１１の列が設けられ、衣類キャリア２００を閉じた状態に固定する。
【００９９】
前実施形態のクロスバーまたはクリップ３２は、リベット２１２によって直立側壁２０６に取り付けられる単一装着バー２１０と交換されている。直立側壁２０６に装着バー２１０を取り付けるための任意の他の適切な手段を使用し得ることが理解されよう。
【０１００】
装着バー２１０はまた、衣類サポート２０２の基部を貫通して延在するリベット２５４（図１８に関連して論じる）によって定位置に保持する。リベット２５４を覆うかまたは隠すという純粋に美的目的にかなうように、シュラウド２１４を設ける。シュラウド２１４は、装着バー２１０が衣類サポート２０２の基部に接する箇所またはその近傍で、袖サポート２１６の下で装着バー２１０上に嵌着され、視界からリベット２５４を覆い隠す。シュラウド２１４は、装着バー２１０内の対応する小さなリブ上に嵌着する一連の切欠き部を含む。しかしながら、シュラウド２１４を装着バー２１０に嵌着するための任意の他の適切な手段を使用してもよい。
【０１０１】
シュラウドの上側表面は、袖サポート２１６の回転軸２２６の回転に適応するように丸みを帯びている（以下でさらに論じる）。
【０１０２】
現実施形態の袖サポート２１６の形状は、上記の実施形態の袖サポート１６の形状とは異なる。中心リム２１８は、テーパ形状であるよりも略矩形である。一方の端において、中心リム２１８は、バー２２０内の開口部内に受け止められる。中心リム２１８が受け止められる開口部の両側から延在するアーム２２２は、丸みのある主エッジであって、それを軸に衣類（図示せず）の袖を折りたたむことができるものを備えている。これは、袖サポート２１６の周囲の折りたたみ領域において袖にしわが付くことを減少させるかまたはこれを回避する。アーム２２２の後部エッジもまた、丸みがあってもよいが、現形態では、通常は平坦である。
【０１０３】
中心リム２１８の反対側の端は、ハブ２２４内に受け止められる。ハブ２２４は、回転軸２２６に取り付けられ、この回転軸を軸にして袖サポート２１６が、袖サポート１６に関連して上述したのと同様に、回動する。
【０１０４】
ハブ２２４は、下面上に突出部２２８を備える。突出部２２８は、使用時、衣類の首回り領域内で受け止められる。突出部２２８は、衣類にしわが付くことを回避するように、丸みのあるバルブ様形状であるが、任意の他の適切な形状を使用し得る。例えば、突出部２２８が柔軟な材料から形成される場合、材料の柔軟さは、衣類の首回り領域にしわが付く可能性を実質的に減少させるため、突出部２２８は、衣類に対して角張った面を呈し得る。
【０１０５】
アーム２２２を軸にして衣類の袖を折りたたむときにバー２２０が衣類にしわを付けないように、バー２２０を衣類サポート２０２から離間させるために突出部２２８を使用し得る。しかしながら、図１７に示す突出部２２８は、発泡体から形成されている。突出部２２８によって確実に衣類１０の首回り領域は、袖サポート２１６の下で滑らないようになる。反対側の突出部２２９は、ズボンサポート２４４が袖サポート２１６上の定位置にあるときにズボンサポートを圧迫し、確実にズボンサポート２４４が動かないようにする。
【０１０６】
ハブ２２４の後面２３０は、前方に配向されている。これに対応して、装着バー２１０の前面もまた、前方に配向されている。袖サポート２１６を回動させて衣類の上に降ろして衣類を定位置に保持するとき、ハブ２２４の後面２３０は、装着バー２１０の前面と当接する。これは、袖サポート２１６が衣類に向かってさらに回転することを防止する。このように、装着バー２１０の前面およびハブ２２４の後面２３０の角度は、袖サポート２１６のバー２２０と衣類サポート２０２との間に特定の所望の間隔を画定するように選択し得る。したがって、ハブ２２４の後面２３０と装着バー２１０の前面との相対角度は、バー２２０を衣類サポート２０２から離間させるための突出部２２８を補うかまたはそれに取って代り得る。
【０１０７】
また、バー２２０と衣類サポート２０２との間隔を画定するための他のさまざまな手段を使用し得ることが理解されよう。例えば、装着バー２１０は、装着バーの前面から延在する１つ以上の突出部であって、ハブ２２４および／または中心リム２１８に当接して袖サポート２１６が衣類サポート２０２に向かってさらに回転することを防止するものを含み得る。
【０１０８】
上述のように、ハブ２２４は、回転軸２２６に取り付けられる。現形態では、ハブ２２４と回転軸２２６とは、一体となっている。回転軸２２６の両端のそれぞれに、ハブ部２３２を設けている。各ハブ部２３２は、装着バー２１０上の回転軸装着開口部２３４と一線上にそろえられている。次いで、装着開口部２３４およびハブ部２３２内に栓２３６を挿入し、装着バー２１０に回転軸２２６を枢設する。袖サポート２１６を装着バー２１０に固定するための任意の他の適切な手段を使用し得ることが理解されよう。
【０１０９】
現実施形態は、肩部サポート２３８をさらに含む。肩部サポート２３８は、ストラップ２４０によって衣類サポート２０２に取り付けられる。現形態では、ストラップ２４０は、直立側壁２０６に取り付けられている。肩部サポート２３８は、衣類を衣類キャリア２００内で折りたたんで収納し、また、衣類サポート２０２を閉じて衣類を包むときに、衣類の各肩部の形状を維持するためのものである。そのために、肩部サポート２３８は、衣類の肩部に挿入可能な材料のパッドを含む。パッドは、トランジット時にフラップ２０４に押し付けて衣類にしわを付けないように、また、さまざまな異なる衣類の肩部の形状や大きさに使用可能であるように、理想的には圧縮可能である（例えば、発泡体から形成される）。しかしながら、肩部サポート２３８は、任意の適した材料から形成されるか、または、それを含み得る。
【０１１０】
肩部サポート２３８は、凸状面または丸く膨れた上面を含む。肩部サポート２３８は、平坦な基部をさらに含む。上面は、衣類の肩部の形状に適合する。平坦な基部は、衣類キャリア２００内で衣類が折りたたまれて収納されるときに平らなままであるべき衣類の部分に置かれる。
【０１１１】
肩部サポート２３８は、衣類の袖に沿って衣類の肩部領域に挿入されるか、または衣類の首回りを通して衣類の肩部領域に挿入される。肩部サポート２３８は、衣類キャリア２００内で衣類を折りたたんで収納するときに衣類の肩部の形状を維持するように成形される。このように、衣類の肩部にしわが付くことを回避できるか、または少なくとも実質的に減少させることができる。
【０１１２】
さまざまな大きさおよびさまざまな形状の肩部サポート２３８は、さまざまな種類の衣類、さまざまな性別（多くの場合、女性は男性よりも肩幅が狭い）、およびさまざまな大きさの衣類のために提供され得ることが理解されよう。
【０１１３】
各肩部サポート２３８は、後部布地タブまたは後部布地ループ２４２を含む。現形態では、布地タブ２４２は、各ストラップ２４０の延長部分である。布地タブ２４２は、袖サポート２１６に係合する。例えば、布地タブ２４２を、袖サポート２１６の各アームのエッジ周りに取り付け得る。このように、衣類キャリア２００を使用していないときに、肩部サポート２３８を袖サポート２１６に固定することができる。
【０１１４】
代替として、衣類の外面上の、衣類の肩部の箇所に配置されるような形状の肩部サポートを提供し得る。この場合、袖および肩部を折りたたんで肩部サポートを包み、上記のデルタ折り形状を形成する。
【０１１５】
図１〜図１６に記載の実施形態と同様に、ズボンサポート２４４を設ける。ズボンサポート２４４は、上記と同様にバー２２０の下に掛合する幅広フック２４６を備える。ズボンサポート２４４はまた、下方に突出する丸みのある周縁部２４８を含む。丸みのある突出周縁部２４８は、幅広フック２４６の両端からズボンサポート２４４の外周に沿って延在する。丸みのある突出周縁部２４８は、ズボンサポート２４４が衣類サポート２０２上の定位置にあるとき、直立側壁２０６近傍に配置されるかまたは直立側壁２０６に当接して配置される。
【０１１６】
丸みのある周縁部２４８には、装着バー２１０を跨ぐ間隙部２５０が存在する。
【０１１７】
袖サポート２１６を装着バー２１０に取り付け、装着バー２１０を直立側壁２０６にリベットで留めると、衣類キャリア２００は使用する準備が整う。次いで、衣類キャリア２００は、
−  衣類サポート２０２上に衣類を配置し、
−  衣類の袖を通して衣類の肩部まで肩部サポート２３８を挿入し、
−  図３〜図１６に関連して上述したように、衣類の袖および肩部を折りたたみ、
−  袖サポート２１６を袖の上に降ろして袖を定位置に保持し、
−  袖サポート２１６を軸にして袖を折りたたみ、
−  次いで、折りたたんだ袖の上にズボンを配置し、
−  ズボンサポート２４４をバー２２０に被せて固定しかつ回転させて間隙部２５０が装着バー２１０を跨ぐ状態の定位置まで降ろし、
−  ズボンサポート２４４の上にズボンを折りたたみ、
−  側壁２０６の末端部でフラップ２０４を折り曲げかつジッパーで側壁２０６に咬合させて、使用し得る。
【０１１８】
図１８Ａ〜図１８Ｆを含む図１８は、閉じた状態の衣類キャリア２００を示す。図１８Ａ〜図１８Ｆのそれぞれは、平面図、正面図、背面図、左側面図、右側面図、底面図である。図１８Ａ〜図１８Ｆのそれぞれから理解されるように、衣類キャリア２００のほとんどの境界は、丸みのある角で画定される。このように、衣類キャリア２００は、トランジット時に衣類キャリア２００が配置され得るスーツケースへのダメージを回避することを意図して作製されている。
【０１１９】
衣類キャリア２００は、直立側壁２０６の外側に取り付けられたキャリーハンドル２５２をさらに含む。さまざまな他のキャリーハンドルを使用し得ること、さまざまな他の方法で衣類サポート２０２に取り付け得ること、または、そのようなキャリーハンドルが設けられなくてもよいことが理解されよう。
【０１２０】
底面図１８Ｆは、装着バー２１０をリベット２１２によって側壁２０６に取り付けることに加えて、装着バー２１０が衣類サポート２０２の基部を通してリベット２５４によって、または他の留め具、接着剤、または任意の他の適切な手段によっても固定され得ることを示す。
【０１２１】
図１９Ａ〜図１９Ｆを含む図１９は、ズボンサポート２４４がバー２２０の上の定位置にある、開いた状態の衣類キャリア２００を示す。図１９Ｄおよび図１９Ｅから認識できるように、ズボンサポート２４４は、側壁２０６の上部より上に若干突出している。フラップ２０４をズボンサポート２４４に被せ、直立側壁２０６にジッパーで咬合させるとき、ズボンサポート２４４は、フラップ２０４を押圧する。これにより、ズボンサポート２４４に沿って折りたたんだ１本のズボンは、ズボンサポート２４４とフラップ２０４との間の定位置に保持される。
【０１２２】
図１９Ｄおよび図１９Ｅは、直立側壁２０６が一方の端２５６から他方の端２５８に向かって先細になっていることを示す。反対に、フラップ２０４の丸みのある周縁部２０８は、端２５６に向かって先細になっている。したがって、丸みのある周縁部２０８は、通常、端２５６の領域において最小の厚さになる。丸みのある周縁部２０８は、フラップ２０４に剛性を付与可能であり、周縁部２０８が端２５６の領域において最小の厚さであることによって、フラップ２０４は、端２５６に沿って屈曲可能である。反対側の端で、丸みのある周縁部２０８は最大の厚さであるため、フラップ２０４の剛性を高めている。確実に、衣類キャリアを必要な個所で可撓にし、また、必要な個所で剛性にすることで、現構成は、衣類キャリア２００内の衣類がトランジット中にしわになる可能性を減少させている。
【０１２３】
同じく図１９Ｄおよび図１９Ｅからわかるように、留め具またはリベット２１２は、足部２６２を提供する。各留め具またはリベット２１２は、足部２６２および側壁２０６を貫通して延在し、装着バー２１０を側壁２０６に固定する。足部２６２は、衣類キャリア２００を地表から離間させ、衣類キャリア２００がトランジット時に被り得るダメージを減少させる。
【０１２４】
図１９Ｂおよび図１９Ｃは、衣類キャリア２００が開いた状態のときに、ズボンサポート２４４が垂直側壁２０６から若干離間していることを示す。ズボンサポート２４４と垂直側壁２０６との間の間隔は、フラップ２０４が垂直側壁２０６上にジッパーで咬合するとき、小さくなる。図１８に示すように閉じた状態のときには、垂直側壁２０６とズボンサポート２４４との間の間隙はなくなり得ることが理解されよう。
【０１２５】
一般的に、衣類キャリア１００，２００の部品は、任意の適切な材料から形成され得る。本明細書に記載の実施形態では、衣類サポート１４，２０２はネオプレン（３ｍｍ、１．５ｍｍ、０．８ｍｍ等の任意の厚さのネオプレン）から形成され、袖サポート１６，２１６は射出成形されるかまたは１つ以上のアルミニウム押出成形品から形成され、また、ズボンサポート６８，２４４はネオプレンまたはプラスチックから形成され得る。ズボンサポート６８，２４４の主要部は、代替として、伸縮性のある布地または網目の織物から形成され得る。
【０１２６】
本発明がトランジット時にのみ使用可能なのではなく、衣類の製造者または仕立屋等から店舗での供給および保管に際しても使用可能であることが理解されよう。
【０１２７】
本発明に関する当業者には、本発明の精神および範囲から逸脱することなく多くの変更形態を成し得ることがわかるであろう。また、当業者には、本明細書に記載のさまざまな実施形態の特徴を本発明の精神および範囲から逸脱することなく組み合せ得ることがわかるであろう。
【０１２８】
そのため、袖１２付の衣類１０を収容するための衣類キャリア１００は、図示の実施形態の特徴のすべてを含まなくてもよい。そうではなく、衣類キャリア１００は、単に、衣類サポート１４と、衣類サポート１４の上に配置可能な袖サポート１６であって、衣類サポート１４および袖サポート１６の間に衣類１０を保持するものとを含み得る。かかる実施形態では、袖サポート１６は、中心リム４０と、衣類キャリア１００の使用時に衣類１０の袖１２が折りたたまれる箇所である一対のアーム４２とを首尾よく含む。
【０１２９】
説明書きおよび再現図面３〜１６等の折りたたむための説明書き、ならびに／またはブランド、保証書、および他のどのような種類の情報も衣類キャリア１００の表面上に印刷し得る。例えば、かかる情報をフラップ５２，５４の内側表面上に印刷し得る。
【０１３０】
ネオプレン、ポリカーボネート、成形ＥＶＡ、および発泡体等の材料を特定したことに関しては、かかる材料は例示としてのみ使用されることが理解されよう。かかる材料の代わりに、任意の他の適切な材料を使用し得る。例えば、衣類キャリアは、ボール紙から形成され得る。これは、衣類キャリアの１回のみの使い切りが望ましい場合に有用であり得る。また、湿潤気候では、衣類をしわから保護する材料から衣類キャリアを形成する必要があり得るが、湿度の低い気候では、これは不要であり得る。
【０１３１】
添付の特許請求の範囲およびここまでに記載の本発明の明細書において、用語「含む（comprise）」または「含む（comprises）」もしくは「含んでいる（comprising）」等の語尾変化形は、明示された言葉または必然的な暗示によって、文脈によって異なる解釈が要求されているのでない限り、非排他的な意味で（すなわち、述べられた特徴の存在を特定するが、本発明のさまざまな実施形態のさらなる特徴の存在または追加を排除しないように）用いられる。
【０１３２】
本明細書中で先行技術文献に言及する場合、かかる言及が、オーストラリアまたは他の国において、当該文献が技術常識の一部を形成するものであると認めるものではないことを理解されたい。
【図１】
0006322641.tif 000002
【図２】
0006322641.tif 000003
【図３−１６】
0006322641.tif 000004
【図１７】
0006322641.tif 000005
【図１８】
0006322641.tif 000006
【図１９】
0006322641.tif 000007